(57)【特許請求の範囲】
【請求項１】
機械室レスエレベータの昇降路内に設置されている既設巻上機を新設巻上機に改修するエレベータ装置において、
前記既設巻上機または前記既設巻上機を保持する取付け枠または改修する前に前記既設巻上機のシーブに巻き掛けられた主索によって鉛直方向に付勢される荷重に対抗して、前記既設巻上機を前記昇降路に固定する第一の固定手段のいずれかと、前記新設巻上機のシーブに巻き掛けられた主索によって鉛直方向に付勢される荷重に対抗して、前記新設巻上機を前記既設巻上機または前記取付け枠に固定する第二の固定手段と、を備え、
前記既設巻上機または前記取付け枠または前記第一の固定手段のいずれかは、改修された後に前記昇降路内に残されると共に、前記第二の固定手段は一方が前記昇降路内に残された前記既設巻上機または前記取付け枠または前記第一の固定手段のいずれかに固定され、他方が前記新設巻上機に固定されることを特徴とするエレベータ装置。
【請求項２】
前記第二の固定手段は、所定の長さを有する縦柱であることを特徴とする請求項１に記載のエレベータ装置。
【請求項３】
前記第二の固定手段は、前記既設巻上機のシーブに巻き掛けられるワイヤーと、前記新設巻上機に設けられ前記ワイヤーの端部が固定されるシャックルロッドとであることを特徴とする請求項１に記載のエレベータ装置。
【請求項４】
前記第二の固定手段は、一方が前記既設巻上機のシーブ軸に固定され、他方が前記新設巻上機に固定される支持枠であることを特徴とする請求項１に記載のエレベータ装置。
【請求項５】
前記新設巻上機は、前記エレベータの乗りかごが前記昇降路の最上階または最下階にあるとき、前記乗りかご上から保守作業をおこなうことが可能な位置に固定されることを特徴とする請求項１〜４のいずれかに記載のエレベータ装置。
【発明の詳細な説明】
【技術分野】
【０００１】
この発明は、機械室レスエレベータの昇降路内に設置されている既設巻上機を新設巻上機に改修するエレベータ装置に関するものである。
【背景技術】
【０００２】
近年、機械室レスエレベータにおいて、運用開始から相当の年数が経過しているものもあり、既設巻上機を新たな巻上機に改修するものがある。機械室レスエレベータでは、例えば、巻上機が昇降路ピット底面に配置されている構造（文献１）や、巻上機が昇降路ピット底面から嵩上げされて配置されている構造（文献２）や、巻上機が昇降路頂部に配置されている構造（文献３）などがある。
【先行技術文献】
【特許文献】
【０００３】
【特許文献１】特開平１０-２３６７５１号公報
【特許文献２】ＷＯ２００１／０４２１２１
【特許文献３】ＷＯ２００８／０４１２６６
【発明の概要】
【発明が解決しようとする課題】
【０００４】
このようなエレベータにおいて、既設巻上機を新設巻上機に改修する場合は、既設巻上機が昇降路に固定される固定部材から既設巻上機を取り外し、取り外した既設巻上機を昇降路外に搬出した後、同じ取付け構造の新設巻上機を昇降路内に搬入して、既設の固定部材に取り付ける必要がある。また、この固定部材は既設巻上機の構造にあわせて設計されているため、新設巻上機の取付け構造によって流用が困難な場合があり、この固定部材も取り外して、新設しなければならないという問題があった。【０００５】
この発明は、上記のような課題を解決するためになされたものであり、既設巻上機を新設巻上機に改修する場合、既設の巻上機と取付け枠と固定部材とをいずれも取り外す手間を無くして、取り外さず残した既設品を流用すると共に新設品を減らすことにより、工事期間を短縮可能なエレベータ装置を提供することを目的とする。
【課題を解決するための手段】
【０００６】
この発明にかかるエレベータ装置は、機械室レスエレベータの昇降路内に設置されている既設巻上機を新設巻上機に改修するエレベータ装置において、既設巻上機または既設巻上機を保持する取付け枠または改修する前に既設巻上機のシーブに巻き掛けられた主索によって鉛直方向に付勢される荷重に対抗して、既設巻上機を前記昇降路に固定する第一の固定手段のいずれかと、新設巻上機のシーブに巻き掛けられたロープによって鉛直方向に付勢される荷重に対抗して、新設巻上機を既設巻上機または取付け枠に固定する第二の固定手段と、を備え、既設巻上機または取付け枠または第一の固定手段のいずれかは改修された後に昇降路内に残されると共に、第二の固定手段は一方が昇降路内に残された既設巻上機または取付け枠または第一の固定手段のいずれかに固定され、他方が新設巻上機に固定されることを特徴とするものである。
【発明の効果】
【０００７】
この発明は、既設巻上機を新設巻上機に改修する場合、既設の巻上機と取付け枠と固定部材とをいずれも取り外す手間を無くして、取り外さず残した既設品を流用すると共に新設品を減らすことにより、工事期間を短縮可能なエレベータ装置を実現できる。
【図面の簡単な説明】
【０００８】
【図１】この発明の実施の形態１によるエレベータ装置を示す斜視図である。
【図２】この発明の実施の携帯１による腰部を示す正面図である。
【図３】この発明の実施の形態１による改修前のエレベータ装置を示す正面図である。
【図４】この発明の実施の形態１による要部を構成する他のパターン１の形態を示す正面図である。
【図５】この発明の実施の形態１による要部を構成する他のパターン２の形態を示す正面図である。
【図６】この発明の実施の形態１による要部を構成する他のパターン３の形態を示す正面図である。
【図７】この発明の実施の形態２による要部を示す正面図である。
【図８】この発明の実施の形態２による要部を構成する他のパターン１の形態を示す正面図である。
【図９】この発明の実施の形態３による要部を示す正面図である。
【図１０】この発明の実施の形態４による要部を示す正面図である。
【発明を実施するための形態】
【０００９】
実施の形態１．
図１〜６は、この発明の実施の形態１によるエレベータ装置を説明するもので、図１は既設巻上機が新設巻上機に改修された後のエレベータ装置を示す斜視図、図２は要部を示す正面図、図３は既設巻上機が新設巻上機に改修される前のエレベータ装置を示す正面図である。図４〜６は要部を構成する他のパターンを示す正面図である。図に示すように、昇降路１内で乗りかご２（点線）と釣合オモリ３（点線）が主索４により２：１ローピングで吊られている。新設巻上機８は縦柱１０を介して既設巻上機５の直上に配置されている。なお、エレベータの乗場は図示を省略している。
【００１０】
既設巻上機５と、既設巻上機５を保持する取付け枠６と、巻上機嵩上げ台７と、はいずれも改修された後も撤去されることなく、改修する前に固定されていた位置にそのまま残されている。既設巻上機５は、取付け枠６によって保持されると共に、巻上機嵩上げ台７を介して昇降路１内の所定に高さに固定されている。巻上機嵩上げ台７は、既設巻上機５のシーブに巻き掛けられた主索４によって鉛直方向に付勢される荷重に対抗して、既設巻上機５を昇降路１に固定する第一の固定手段として設けられ、一端が取付け枠６に固定され、他端が昇降路１に固定されている。新設巻上機８は、取付け枠９によって保持されると共に、縦柱１０を介して取付け枠６に連結固定されている。
【００１１】
一方、新設巻上機８のシーブ１１に巻き掛けられた主索４の一側には、乗りかご２の底部が巻き掛けられており、乗りかご２の自重により鉛直方向（上側）に引っ張られる荷重が作用している。さらに、新設巻上機８のシーブ１１に巻き掛けられた主索４の他側には、釣合オモリ３の上部が巻き掛けられて、釣合オモリ３の自重により鉛直方向（上側）に引っ張られる荷重が作用している。ここで、新設巻上機８には、巻き掛けられた主索４によって、常に鉛直方向に付勢される荷重が作用している。
【００１２】
すなわち、縦柱１０は、新設巻上機８のシーブ１１に巻き掛けられた主索４によって鉛直方向に付勢される荷重に対抗して新設巻上機８を昇降路１に固定する手段である第二の固定手段として設けられ、一方が取付け枠６に、他方が取付け枠９にそれぞれ固定されている。なお、改修される前において巻上機嵩上げ台７には、縦柱１０と同じように既設巻上機５のシーブに巻き掛けられた主索４によって鉛直方向に付勢される荷重が作用していることを前提としている。
【００１３】
次に、上記のように構成された実施の形態１の動作について説明する。まずは既設巻上機５に掛けられている主索４を取り外す。取付け枠６の上端部付近に予め設けられている取付け穴、もしくは改修時に現地にて加工した取付け穴に、昇降路１の上方向に延びる縦柱１０の一端を締結する。縦柱１０の他端には新設巻上機８が保持される取付け枠８を締結する。その後、新設巻上機８のシーブ１１に新しく用意した主索４を取り付ける。新設巻上機８に作用する鉛直方向に付勢される吊り荷重は、縦柱１０、取付け枠６、巻上機嵩上げ台１１を介して昇降路で支持される。
【００１４】
上記の実施の形態１では、縦柱１０の一方に取付け枠６を固定したが、図４のパターン１に示すとおり取付け枠６が無い場合、既設巻上機５のみを残しても良い。この場合、縦柱１０の一端を昇降路１内に残された既設巻上機５の左右端部付近にそれぞれ予め設けられている取付け穴、もしくは改修時に現地にて加工した取付け穴にボルト等により締結し、他端には新設巻上機８が締結される。
【００１５】
また、上記の実施の形態１パターン１では、取付け枠６は撤去し、既設巻上機５のみを残したが、図５のパターン２に示すとおり既設巻上機５は撤去し、取付け枠６のみを残しても良い。この場合、縦柱１０の一端を昇降路１内に残された取付け枠６の左右端部付近にそれぞれ予め設けられている取付け穴、もしくは改修時に現地にて加工した取付け穴にボルト等により締結し、他端には新設巻上機８が締結される。
【００１６】
また、上記の実施の形態１では、既設巻上機５及び新設巻上機８が昇降路１の下部に配置される方式であるが、これに対して巻上機がいずれも昇降路１の上部に配置される方式でも良い。図６のパターン３に示すとおり既設巻上機５は昇降路１の頂部１３の周辺に配置され、既設巻上機５を保持する機械台１４の上部に配置される。昇降路１の上部に配置された既設巻上機５の取付け枠６が無い場合、既設巻上機５のみを残す。この場合、縦柱１０の一端（上側）を昇降路１内に残された既設巻上機５の左右端部付近にそれぞれ予め設けられている取付け穴、もしくは改修時に現地にて加工した取付け穴にボルト等により締結し、他端（下側）には新設巻上機８が締結される。
【００１７】
上記のように実施の形態１によれば、機械室レスエレベータの昇降路１内に設置されている既設巻上機５を新設巻上機８に改修するエレベータ装置において、既設巻上機５または既設巻上機５を保持する取付け枠６または改修する前に既設巻上機５のシーブ１２に巻き掛けられた主索４によって鉛直方向に付勢される荷重に対抗して、既設巻上機５を前記昇降路に固定する第一の固定手段である巻上機嵩上げ台７のいずれかと、新設巻上機８のシーブ１１に巻き掛けられた主索４によって鉛直方向に付勢される荷重に対抗して、新設巻上機８を既設巻上機５または取付け枠６に固定する第二の固定手段である縦柱１０と、を備え、既設巻上機５または取付け枠６または巻上機嵩上げ台７のいずれかは改修された後に昇降路１内に残されると共に、縦柱１０は一方が昇降路１内に残された既設巻上機５または取付け枠６または巻上機嵩上げ台７のいずれかに固定され、他方が新設巻上機８に固定されたことにより、既設巻上機５と取付け枠６と巻上機嵩上げ台７とが新設巻上機８を昇降路１に固定する手段として撤去されずに流用される。これにより、既設巻上機５と取付け枠６と巻上機嵩上げ台７とをいずれも取り外す手間を無くして、取り外さず残された既設品は流用されると共に新設品を減らすことにより、工事期間を短縮可能なエレベータ装置を実現できる。
【００１８】
実施の形態２．
図７は、この発明の実施の形態２による要部を示す正面図である。この発明の実施の形態２によるエレベータ装置は、第二の固定手段が縦柱１０の代わりに既設巻上機５のシーブ１２に巻き掛けられるワイヤー１７とワイヤー１７の端部が固定されるシャックルロッド１８とであることが異なり、それ以外の同様な部分に同じ記号を付記し説明を省略する。図７〜８は、この発明の実施の形態２によるエレベータ装置を説明するもので、図７は要部を示す正面図、図８は要部を構成する他のパターンを示す正面図である。
【００１９】
図において、既設巻上機５は昇降路１の底部に固定され、改修された後も撤去されることなく、改修する前に固定されていた位置にそのまま残されている。新設巻上機８は、取付け枠９によって保持されると共に、取付け枠９の上部及び下部にそれぞれ固定されるガイドレール１５の振れ止め１６と、既設巻上機５のシーブ１２に巻き掛けられるワイヤー１７とワイヤー１７の端部が固定されるシャックルロッド１８とを介してそれぞれガイドレール１５と既設巻上機５とに取り付けられている。なお、取付け枠９は、シャックルロッド１８シャックルロッド１８を設けるための取付け部が形成されるため、シャックルロッド１８の長手方向が収められる程度のサイズで鉛直方向に延伸されている。ここで、新設巻上機８には、巻き掛けられた主索４によって、常に鉛直方向に付勢される荷重が作用している。
【００２０】
すなわち、既設巻上機５のシーブ１２に巻き掛けられるワイヤー１７とワイヤー１７の端部が固定されるシャックルロッド１８とは、新設巻上機８のシーブ１１に巻き掛けられた主索４によって鉛直方向に付勢される荷重に対抗して新設巻上機８を昇降路１に固定する手段である第二の固定手段として設けられ、一方が取付け枠９に、他方が既設巻上機５にそれぞれ固定されている。
【００２１】
次に、上記のように構成された実施の形態２の動作について説明する。既設巻上機５のシーブ１２に対して上方向にワイヤー１７をＵの字に掛け、ワイヤー１７の両端部をそれぞれ取付け枠７の下部に設けたに設けたシャックルロッド１８に固定する。取付け枠９の上下片側は振れ止め１６にてガイドレール１５に固定する。その後、新設巻上機８のシーブ１１に新しく用意した主索４を取り付ける。新設巻上機８に発生する鉛直方向に付勢される荷重は、ワイヤー１７、既設巻上機５のシーブ１２を介して昇降路１に支持される。なお、振れ止め１６は地震時など新設巻上機８に水平荷重が作用した場合に、ガイドレール１５にこの荷重を支持させるために設けているものであり、鉛直方向に付勢される荷重はほとんど作用しない。
【００２２】
また、上記の実施の形態２では、既設巻上機５及び新設巻上機８が昇降路１の下部に配置される方式であるが、これに対して巻上機がいずれも昇降路１の上部に配置される方式でも良い。図８のパターン１に示すとおり既設巻上機５は昇降路１の頂部１３の周辺に配置され、既設巻上機５を保持する機械台１４の上部に配置される。昇降路１の上部に配置された既設巻上機５の取付け枠６は撤去し、既設巻上機５のみを残す。この場合、既設巻上機５のシーブ１２に巻き掛けられるワイヤー１７とワイヤー１７の端部が固定されるシャックルロッド１８とは、新設巻上機８のシーブ１１に巻き掛けられた主索４によって鉛直方向に付勢される荷重に対抗して新設巻上機８を昇降路１に固定する手段である第二の固定手段として設けられ、一方が取付け枠９に、他方が既設巻上機５にそれぞれ固定されている。
【００２３】
上記のように実施の形態２によれば、第二の固定手段は、既設巻上機５のシーブ１１に巻き掛けられるワイヤー１７と、新設巻上機８に設けられワイヤー１７の端部が固定されるシャックルロッド１８とであることにより、既設巻上機５と取付け枠６とをいずれも取り外す手間を無くして、取り外さず残した既設品を流用する場合、実施の形態１のように既設巻上機５で縦柱１０を設けるための加工をする手間が無く、既設巻上機５のシーブ１２をそのまま使用するため、工事期間をさらに短縮可能なエレベータ装置を実現できる。
【００２４】
実施の形態３．
図９は、この発明の実施の形態３による要部を示す正面図である。この発明の実施の形態３によるエレベータ装置は、第二の固定手段が実施の形態２のワイヤー１７とシャックルロッド１８との代わりに、一方が取付け枠９に固定され、他方が既設巻上機５のシーブ軸２０に固定される支持枠１９であることが異なり、それ以外の同様な部分に同じ記号を付記し説明を省略する。
【００２５】
図において、既設巻上機５は昇降路１の底部に固定され、改修された後も撤去されることなく、改修する前に固定されていた位置にそのまま残されている。新設巻上機８は、取付け枠９によって保持されると共に、振れ止め１６と、一方が取付け枠９に固定され、他方が既設巻上機５のシーブ軸２０に固定される支持枠１９とを介してそれぞれガイドレール１５と既設巻上機５とに取り付けられている。支持枠１９は、一方が取付け枠９の端部に固定され、他方にはシーブ軸２０が貫通可能な穴２１が形成され、鉛直方向に所定の強度を有する板状の部材で形成されている。ここで、新設巻上機８には、巻き掛けられた主索４によって、常に鉛直方向に付勢される荷重が作用している。
【００２６】
すなわち、支持枠１９は新設巻上機８のシーブ１１に巻き掛けられた主索４によって鉛直方向に付勢される荷重に対抗して新設巻上機８を昇降路１に固定する手段である第二の固定手段として設けられ、一方はボルトによって取付け枠９に固定され、他方は穴２１が設けられ、巻上機５のシーブ軸２０が穴２１を貫通して固定されている。
【００２７】
次に、上記のように構成された実施の形態３の動作について説明する。既設巻上機５のシーブ１２を取り外し、シーブ軸２０の穴２１に支持枠１９を固定する。支持枠１９は、シーブ１２と同じ固定方式でシーブ軸２０に固定する。支持枠１９の上端部と取付け枠９とをボルトで固定する。新設巻上機８に発生する鉛直方向に付勢される荷重は、支持枠１９、既設巻上機５のシーブ軸２０を介して昇降路１に支持される。なお、支持枠１９には新設巻上機８の自重、すなわち鉛直下向きにかかる荷重が作用しないので、鉛直方向に所定の引っ張り強度を有していれば良い。
【００２８】
上記のように実施の形態３によれば、第二の固定手段である支持枠１９は、一方が既設巻上機５のシーブ軸２０に固定され、他方が新設巻上機８に固定される支持枠であることにより、実施の形態２に示す吊りワイヤー１７の経年伸びによる影響を排除することができる。また、既設巻上機５と取付け枠６とをいずれも取り外す手間を無くして、取り外さず残した既設品を流用する場合、実施の形態１のように既設巻上機５で縦柱１０を設けるための加工をする手間が無く、既設巻上機５のシーブ軸２０をそのまま使用するため、工事期間をさらに短縮可能なエレベータ装置を実現できる
【００２９】
実施の形態４．
図１０は、この発明の実施の形態４による要部を示す正面図である。この発明の実施の形態４によるエレベータ装置は、実施の形態１で示す第二の固定手段の鉛直方向の長さを所定の長さにしたことが異なり、それ以外の同様な部分に同じ記号を付記し説明を省略する。
【００３０】
図において、乗りかご２は最下階（図において「Ａ」と表記）に停止しており、既設巻上機５は最下階と同じ高さまたはそれより上の位置に固定されている。乗りかご２の上部には、所定の高さを有するかご上手摺２２が設けられている。縦柱１０は鉛直方向に所定の長さを有している。具体的には縦柱１０の長さは、新設巻上機８がかご上手摺２２の起立した状態の最上部よりも高い位置に固定されるような長さに設定される。
【００３１】
次に、上記のように構成された実施の形態４の動作について説明する。乗りかご２が最下階に停止したとき、縦柱１０の長さを調整して、新設巻上機８がかご上手摺２２の起立した状態の最上部よりも高い位置であって、作業者２３が乗りかご２の上部から保守作業をおこなうことが可能な位置に固定される。
【００３２】
なお、上記実施の形態４では、乗りかご２は最下階に停止した場合であるが、最上階に停止した場合でも良い。既設巻上機５が昇降路１の上部に固定されている場合、すなわち、実施の形態１のパターン３を示す図６において、乗りかご２が最上階に停止したとき、縦柱１０の長さは、新設巻上機８がかご上手摺２２の起立した状態の最上部よりも高い位置に固定されるような長さに設定することは容易に構成が可能である（図示しない）。
【００３３】
従来、既設巻上機８は乗りかご２の最下階と同じ高さまたはそれより上の位置に固定されていたので、乗りかご２の上部に作業者が乗り込んで保守作業をおこなうことはできなかった。上記のように実施の形態４によれば、新設巻上機８は、エレベータの乗りかご２が昇降路１の最上階または最下階にあるとき、乗りかご２上から保守作業をおこなうことが可能な位置に固定されることにより、作業者２３が乗りかご２の上部に乗り込んで保守作業をおこなうことができる。これにより保守作業をおこなうための作業台をピット底面に設置する必要がないという効果を奏する。さらに、既設巻上機５と取付け枠６と巻上機嵩上げ台７とをいずれも取り外す手間を無くして、取り外さず残された既設品は流用されると共に新設品を減らすことにより、工事期間を短縮可能なエレベータ装置を実現できることは言うまでもない。
【産業上の利用可能性】
【００３４】
本発明は、機械室レスエレベータの昇降路内に設置されている既設巻上機を新設巻上機に改修するエレベータ装置に関するものである。
【符号の説明】
【００３５】
１  昇降路、２  乗りかご、３  釣合オモリ、４  主索、５  既設巻上機、６  取付け枠、７  巻上機嵩上げ台、８  新設巻上機、９  取付け枠、１０  縦柱、１１  シーブ、１２  シーブ、１３  頂部、１４  機械台、１５  ガイドレール、１６  振れ止め、１７  ワイヤー、１８  シャックルロッド、１９  支持枠、２０  シーブ軸、２１  穴、２２  かご上手摺、２３  作業者
【図１】
0006020735.tif 000002
【図２】
0006020735.tif 000003
【図３】
0006020735.tif 000004
【図４】
0006020735.tif 000005
【図５】
0006020735.tif 000006
【図６】
0006020735.tif 000007
【図７】
0006020735.tif 000008
【図８】
0006020735.tif 000009
【図９】
0006020735.tif 000010
【図１０】
0006020735.tif 000011